(57)【要約】      （修正有）【課題】指を患者の体腔内に入れなくても座薬を投与できるドラッグ投与装置を提供する。【解決手段】ドラッグ投与装置は外管体２と延伸プランジャ３とを有し、外管体２はその軸線方向Ｘに沿って通路２１を画成していて固体状の座薬を収容できるようになっている管状壁２２を有している。管状壁２２は、その断面の外郭が突起のない形状になるように形成されている。管状壁２２の軸線方向Ｘ上の両端がドラッグ投入端２２１とドラッグ放出端２２２となっており、さらに、ドラッグ投入端２２１に管外に張出しになった二つの鍔部２２３と、管状壁２２の内表面に間隔的に配置されている複数の突起部２２４とが形成されている。ドラッグ投入端２２１は座薬を通路２１にいれることができるように形成されており、ドラッグ放出端２２２は人間の体腔に挿入できるように形成されている。【選択図】図１
2007215732.tif 000002
【特許請求の範囲】
【請求項１】
その両端がドラッグ投入端とドラッグ放出端とに形成された管状壁を有する外管体と、その両端がそれぞれ、前記管状壁内にあって前記ドラッグ放出端に移動する前押し端と、前記前押し端の反対側にあって前記ドラッグ投入端外に露出している後押し端になっている上、前記前押し端からの所定範囲内が前記管状壁内に出入り可能な挿入部となっている延伸プランジャとを備えてなったドラッグ投与装置であって、
前記ドラッグ放出端に開口が形成してあり、該開口縁に沿って複数の可撓性リブが開口外の開口中心線に偏る方向へ円弧状に突出して前記ドラッグ放出端を柵状のように遮断しており、また、前記リブが第１のリブと第２のリブと第３のリブと第４のリブをそれぞれ少なくとも一つ有し、前記第１のリブと前記第２のリブとがそれぞれ前記開口縁の互いに対向している一対の第１サイドから、相対的、交錯的、且つ平行的に突出しており、前記第３のリブと前記第４のリブとがそれぞれ前記開口縁における前記一対の第１サイドの間にあって互いに対向している一対の第２サイドから、互いに交差しない上、その延長線が前記第１のリブ及び前記第２のリブの延長線と交差するが、実体的にはそれらのいずれとも交差しないように突出していることを特徴とするドラッグ投与装置。
【請求項２】
前記延伸プランジャにおける挿入部は、その軸線に沿って延伸し且つ該軸線から放射的に突出するように形成された複数のウィングプレートを有することを特徴とする請求項１に記載のドラッグ投与装置。
【請求項３】
前記複数のウィングプレートは、いずれも、前記軸線と平行になり、且つ前記管状壁の内表面に隙間を空けて臨んでいるフリーエンドを有することを特徴とする請求項２に記載のドラッグ投与装置。
【請求項４】
前記複数のウィングプレートにおいて、互いに反対的且つ対称的に配置構成されている一対があり、この一対のウィングプレートのフリーエンドにそれぞれ切り込みが形成されており、各切り込み内に可撓性フィンガーが前記管状壁の内表面と接触するまでに突出していて前記挿入部が出入りをするとき該内表面と摩擦することができることを特徴とする請求項３に記載のドラッグ投与装置。
【請求項５】
前記管状壁の内表面に前記可撓性フィンガーと嵌合できる突起部が更に形成されていることを特徴とする請求項４に記載のドラッグ投与装置。
【請求項６】
前記リブは柔軟性のある可撓性材料から形成されたことを特徴とする請求項１に記載のドラッグ投与装置。
【請求項７】
前記延伸プランジャは、前記前押し端が前記リブを掻き分けて前記ドラッグ放出端外に露出することに十分な長さを有し、また前記リブは前記ドラッグ放出端外に露出している前押し端の前記管状壁内への戻りを制限することができるようになっていることを特徴とする請求項１に記載のドラッグ投与装置。
【請求項８】
前記リブの円弧状突出は、延伸プランジャの前押し端における端面の曲率と略一致するようになっていることを特徴とする請求項６に記載のドラッグ投与装置。
【請求項９】
その両端がドラッグ投入端とドラッグ放出端とに形成された管状壁を有する外管体と、その両端がそれぞれ、前記管状壁内にあって前記ドラッグ放出端に移動する前押し端と、前記前押し端の反対側にあって前記ドラッグ投入端外に露出している後押し端になっている上、前記前押し端からの所定範囲内が前記管状壁内に出入り可能な挿入部となっている延伸プランジャとを備えてなったドラッグ投与装置であって、
前記ドラッグ放出端に開口が形成してあり、該開口縁に沿って複数の可撓性リブが開口外の開口中心線に偏る方向へ円弧状に突出して前記ドラッグ放出端を柵状のように遮断しており、
前記延伸プランジャにおける挿入部は、その軸線に沿って延伸し且つ該軸線から放射的に突出するように形成された複数のウィングプレートを有し、前記複数のウィングプレートはいずれも前記軸線と平行になり、且つ前記管状壁の内表面に隙間を空けて臨んでいるフリーエンドを有し、
前記複数のウィングプレートにおいて、互いに反対的且つ対称的に配置構成されている一対があり、この一対のウィングプレートのフリーエンドにそれぞれ切り込みが形成されており、各切り込み内に可撓性フィンガーが前記管状壁の内表面と接触するまでに突出していて前記挿入部が出入りをするとき該内表面と摩擦することを特徴とするドラッグ投与装置。
【請求項１０】
前記管状壁の内表面に前記可撓性フィンガーと嵌合できる突起部が更に形成されていることを特徴とする請求項９に記載のドラッグ投与装置。
【発明の詳細な説明】
【技術分野】
【０００１】
本発明はドラッグ投与装置に関し、特にドラッグをヴァギナや肛門に投与することができるドラッグ投与装置に関する。
【背景技術】
【０００２】
座薬は膣内感染症や肛門疾患の治療によく使用されている。その投与法は、通常、錠剤やカプセル剤の形でヴァギナや肛門内に入れる。簡単に説明すると、図１０に示すように、まず、座薬１の一端１１をヴァギナや肛門の入り口に合わせ、そして、指を使って座薬１をヴァギナや肛門内に入れて押入する。しかし、このような伝統的な投与法では、以下の問題点がある。
１．座薬を投与する前に、投与者は徹底的に手を洗うか、消毒済みの手袋を着用するかの必要がある。
２．ヴァギナや肛門の内壁は、投与者の指先の爪によって傷つけられやすい。この内壁の傷つけは苦痛だけでなく、併発症を起こす虞もある。
３．手での座薬を投与する過程そのものは患者の感情的なトラウマの原因となる可能性がある。
４．座薬は、人間の指の長さに限られて妥当な深さまで入れられないため、効果が十分に果たせず、治療時間を無駄に伸ばす可能性もある。
【発明の開示】
【発明が解決しようとする課題】
【０００３】
従って、本発明は、上記の問題点を解消するために、指を患者の体腔内に入れなくても座薬を投与できるドラッグ投与装置を提供することを目的とする。
【課題を解決するための手段】
【０００４】
上記目的を達成するために、本発明は一側面から、その両端がドラッグ投入端とドラッグ放出端とに形成された管状壁を有する外管体と、その両端がそれぞれ、前記管状壁内にあって前記ドラッグ放出端に移動する前押し端と、前記前押し端の反対側にあって前記ドラッグ投入端外に露出している後押し端とになっている上、前記前押し端からの所定範囲内が前記管状壁内に出入り可能な挿入部となっている延伸プランジャとを備えてなったドラッグ投与装置であって、前記ドラッグ放出端に開口が形成してあり、該開口縁に沿って複数の可撓性リブが開口外の開口中心線に偏る方向へ円弧状に突出して前記ドラッグ放出端を柵状のように遮断しており、また、前記可撓性リブが第１のリブと第２のリブと第３のリブと第４のリブをそれぞれ少なくとも一つ有し、前記第１のリブと前記第２のリブとがそれぞれ前記開口縁の互いに対向している一対の第１サイドから、相対的、交錯的、且つ平行的に突出しており、前記第３のリブと前記第４のリブとがそれぞれ前記開口縁における前記一対の第１サイドの間にあって互いに対向している一対の第２サイドから、互いに交差しない上、その延長線が前記第１のリブ及び前記第２のリブの延長線と交差するが、実体的にはそれらのいずれとも交差しないように突出していることを特徴とするドラッグ投与装置を提供する。
【０００５】
また、本発明は他の側面から、その両端がドラッグ投入端とドラッグ放出端とに形成された管状壁を有する外管体と、その両端がそれぞれ、前記管状壁内にあって前記ドラッグ放出端に移動する前押し端と、前記前押し端の反対側にあって前記ドラッグ投入端外に露出している後押し端とになっている上、前記前押し端からの所定範囲内が前記管状壁内に出入り可能な挿入部となっている延伸プランジャとを備えてなったドラッグ投与装置であって、前記ドラッグ放出端に開口が形成してあり、該開口縁に沿って複数の可撓性リブが開口外の開口中心線に偏る方向へ円弧状に突出して前記ドラッグ放出端を柵状のように遮断しており、前記延伸プランジャにおける挿入部は、その軸線に沿って延伸し且つ該軸線から放射的に突出するように形成された複数のウィングプレートを有し、前記複数のウィングプレートはいずれも前記軸線と平行になり、且つ前記管状壁の内表面に隙間を空けて臨んでいるフリーエンドを有る上、前記複数のウィングプレートにおいて、互いに反対的且つ対称的に配置構成されている一対があり、この一対のウィングプレートのフリーエンドにそれぞれ切り込みが形成されており、各切り込み内に可撓性フィンガーが前記管状壁の内表面と接触するまでに突出していて前記挿入部が出入りをするとき該内表面と摩擦することができることを特徴とするドラッグ投与装置をも提供する。
【発明の効果】
【０００６】
上記発明によるドラッグ投与装置は、指を体腔内に挿入することなく座薬を体腔内に投与することができるので、座薬の投与をより簡単な方法で、衛生的、安全的、且つ有効的に行うことができるようになるので、明らかに便利である。
【発明を実施するための最良の形態】
【０００７】
この発明の前記その他の目的、特徴及び利点は添付図面に例示する本発明の好ましい実施例に関する以下の詳しい記載から明らかである。
【０００８】
図１に示すように、本発明のドラッグ投与装置は外管体２と延伸プランジャ３とを有している。外管体２はその軸線方向Ｘに沿って通路２１を画成していて錠剤やカプセル剤など固体状の座薬４（図３参照）を収容できるようになっている管状壁２２を有している。管状壁２２は、その断面の外郭が円形や楕円形など、突起のない形状になるように形成されている。管状壁２２の軸線方向Ｘ上の両端がドラッグ投入端２２１とドラッグ放出端２２２となっており、更に、ドラッグ投入端２２１に管外へ張出しになった二つの鍔部２２３と、管状壁２２の内表面に間隔的に配置されている複数の突起部２２４とが形成されている。ドラッグ投入端２２１は座薬４を通路２１に入れることができるように形成されている。ドラッグ放出端２２２は人間の体腔に挿入できるように形成されている。
【０００９】
延伸プランジャ３は、その両端がそれぞれ前押し端３１と後押し端３２とになっている。前押し端３１は管状壁２２内にあってドラッグ放出端２２２へ移動することができ、その端面が曲面に形成された。後押し端３２は前押し端３１の反対側にあって、ドラッグ投入端２２１外に露出している。また、前押し端３１からの所定範囲内は管状壁２２内に出入り可能になっている部分であって挿入部３０と称される。なお、延伸プランジャ３の後押し端３２は管状壁２２の通路２１より大きく形成されて、通路２１内に入れられないようになっている。
【００１０】
図２も参照するに、ドラッグ放出端２２２に開口２０が形成してあり、該開口２０の周縁に沿って、複数の可撓性リブ２３が開口２０外の開口中心線に偏る方向へ円弧状に突出してドラッグ放出端２２２を柵状のように遮断している。これによって、通常状態では図３に示すように、座薬４の通路２１からドラッグ放出端２２２を経由して外に出ることを防止できる。また、可撓性リブ２３はそれぞれ開口２０の周縁の互いに対向している一対の第１サイド２２０ａから、相対的、交錯的、且つ平行的に突出した複数の第１及び第２のリブ２３１ａを有している。更に、可撓性リブ２３はそれぞれ前記開口２０の周縁における前記一対の第１サイド２２０ａの間にあって互いに対向している一対の第２サイド２２０ｂから突出した第３、第４のリブ２３１ｂを有している。第３、第４のリブ２３１ｂは互いに交差しない上、その延長線が第１、第２のリブ２３１ａの延長線と交差するが、実体的にはそれらのいずれとも交差しないようになっている。なお、可撓性リブ２３はすべて柔軟性のある可撓性材料から形成されたものである。
【００１１】
また、図３を参照するに、可撓性リブ２３の円弧状突出は、延伸プランジャ３の前押し端３１における端面の曲率と略一致するようになっている。
【００１２】
延伸プランジャ３及び挿入部３０は、前押し端３１が可撓性リブ２３を掻き分けてドラッグ放出端２２２外に露出することに十分な長さをそれぞれ有し、また可撓性リブ２２はドラッグ放出端２２２外に露出している前押し端３１の管状壁２２内への戻りを制限することができるようになっている。
【００１３】
図４に示すように、延伸プランジャ３における挿入部３０は、図１における軸線Ｘに沿って延伸し且つ軸線Ｘから十字形に放射的に突出してなった二対のウィングプレート３３、３４を有している。ウィングプレート３３、３４は、いずれも軸線Ｘと平行になり、且つそれぞれ管状壁２２の内表面に隙間を空けて臨んでいるフリーエンド３３０、３４０を有している。更に、図１に示ように、それぞれのウィングプレート３３、３４のフリーエンド３３０、３４０には、凹部３３１、３４１が後押し端３２に近い位置に形成されている。
【００１４】
図示のように、二対のウィングプレート３３、３４は、いずれも互いに反対的且つ対称的に配置構成されているが、３３と番号付けの一対のウィングプレート３３のフリーエンド３３０にはそれぞれ切り込み３３２が形成されている。更に、各切り込み３３２内に可撓性フィンガー３３３が管状壁２２の内表面と接触するまでに突出していて挿入部３０が出入りをするとき該内表面と摩擦することができる。
【００１５】
図３及び図４を参照してみると、本発明のドラッグ投与装置を使用する時、まずは外管体２をドラッグ投入端２２１が上にあるようにし、そして座薬４を管状壁２２内の通路２１に入れる。そうすると、座薬４はドラッグ放出端２２２まで落ちるが、可撓性リブ２３に阻止されるので、通路２１外に出ない。続いて、延伸プランジャ３を通路２１内に、ウィングプレート３３における可撓性フィンガー３３３が管状壁２２の内表面と接触し摩擦することができる位置まで挿入する。これによって、外部からの更なる力によるプランジャ３の後押し端３２への作用がなければ、プランジャ３及び座薬４を安定な状態で通路２１内に保持することができ、使用者による振動や移動、使用する時の方向変換などの原因で、外管体２の外に出る虞はない。
【００１６】
この状態で使用者が更にプランジャ３の後押し端３２を押すと、まずウィングプレート３３のフリーエンド３３０にそれぞれ形成された切り込み３３２は管状壁２２内の突起部２２４が形成されている位置まで到達する。その時と、可撓性フィンガー３３３はそれと対応している突起部２２４と嵌め合うようになるので、使用者は可撓性フィンガー３３３と対応している突起部２２４との間のより大きい摩擦を気づくことができる。この実施例では、これは、プランジャ３がすでに座薬４を患者に投与するのに用意した、ということを意味する。
【００１７】
図５〜図７に示すように、本発明のドラッグ投与装置を使用する時、使用者自身は患者でもある場合、親指と中指とで、鍔部２２３より少し前の位置に外管体２を挟みながら人差し指でプランジャ３の後押し端３２にいつでも押せるように接触する。この持ち方でドラッグ投与装置の外管体２をドラッグ放出端２２２からヴァギナや肛門などに、妥当な深さまで挿入する。それから、人差し指でプランジャ３の後押し端３２をドラッグ放出端２２２へ押して、プランジャ３の前押し端３１を軸線Ｘに沿ってのドラッグ放出端２２２へ前進させる。この時、通路２１内の前押し端３１の前方にある空気は、ウィングプレート３３、３４と管状壁２２の内表面との間にある隙間を経由して、前押し端３１の後方に排出される。プランジャ３の後押し端３２を前押し端３１が外管体２のドラッグ放出端２２２に到達するまで押し続けることによって、座薬４は外管体２のドラッグ放出端２２２の開口２０（図２参照）と可撓性リブ２３とを経由してヴァギナか肛門かの内部に押し出される。これによって、座薬４を体腔内の妥当な位置に投与することができる。
【００１８】
図８及び図９に示すように、座薬４を体腔内に投与した後、ドラッグ投与装置を体腔外に引き出してプランジャ３を後押し端３２が外管体２のドラッグ投入端２２１に到達するまでに押し続ける。これによって、プランジャ３の前押し端３１は可撓性リブ２３を掻き分けて外管体２のドラッグ放出端２２２外に押し出されて露出するようになる。また、フリーエンド３３０、３４０に形成されている凹部３３１、３４１は対応して管状壁２２の内表面に形成されている突起部２２４と嵌合するようになる。また同時に、可撓性リブ２３はウィングプレート３３、３４へ延伸するようになり、外管体２のドラッグ放出端２２２外に露出しているプランジャ３の前押し端３１の移動を制限して、軸線Ｘに沿って外管体２のドラッグ投入端２２１への戻りができないようになる。
【００１９】
これによって、本発明のドラッグ投与装置を再利用するためにプランジャ３を元の位置に引こうとしても、プランジャ３の前押し端３１は可撓性リブ２３を破壊し、外管体２の構造を破壊することになる。従って、本発明のドラッグ投与装置の使用は一回限りである。
【００２０】
以上説明した通りの構成を有している本発明のドラッグ投与装置の利点は、下記のようにまとめている：
１．座薬４は外管体２内に投入されてからプランジャ３によって体腔内に投与されるため、実際の投与過程において手での座薬４との接触は全くないので、衛生性の維持及び増進に有利である。
２．外管体２のドラッグ放出端２２２に形成されていること、並びにその構成及び可撓性などにより、可撓性リブ２３は座薬４の予定外の移動を防止し得るだけでなく、座薬４を投与し易いようにも働いている。従って、本発明のドラッグ投与装置の使用は簡単且つ便利である。
３．外管体２はその断面外郭が円形や楕円形に形成されており、且つ可撓性リブ２３も柔軟性のある可撓性材料からなっているので、体腔への傷害を最低限まで軽減することができる上、使用する時の不快感も低減される。
４．外管体２は座薬４の形や投与する深さに応じて、それぞれ違う長さに形成されることができるので、座薬４を体腔内妥当な深さに投与することができ、座薬４の治療      
効果が十分に果たせるようになる。
５．本発明のドラッグ投与装置を再利用するためにプランジャ３を元の位置に引こうとしても、可撓性リブ２３はプランジャ３の前押し端３１に破壊され、外管体２の全体的構造も破壊される。従って、本発明のドラッグ投与装置の再利用は不可能であるので、その安全性や衛生性を増進することができる。
【産業上の利用可能性】
【００２１】
以上説明した通り、本発明のドラッグ投与装置は座薬としての座薬を衛生的、安全的、且つ有効的に体腔内に投与することができるので、明らかに優れている。
【図面の簡単な説明】
【００２２】
【図１】本発明のドラッグ投与装置の実施形態の外管体と延伸プランジャとの構成を示す側面図である。
【図２】本発明のドラッグ投与装置の実施形態における可撓性リブの配置を示す正面図である。
【図３】本発明のドラッグ投与装置の実施形態において、投与する予定の座薬が用意した状態での側面図である。
【図４】図３におけるＶ−Ｖ断面の断面図である。
【図５】本発明のドラッグ投与装置の実施形態の使用方法を示す説明図である。
【図６】本発明のドラッグ投与装置の実施形態において、投与する座薬を放出する状態の側面図である。
【図７】本発明のドラッグ投与装置の実施形態において、投与する座薬を放出した状態の側面図である。
【図８】本発明のドラッグ投与装置の実施形態において、延伸プランジャの前押し端が外管体のドラッグ放出端外に露出している状態の側面図である。
【図９】本発明のドラッグ投与装置の実施形態において、可撓性リブの作用により延伸プランジャの前押し端が戻れない状態を示す正面図である。
【図１０】座薬の伝統的な使用方法を示す説明図である。
【符号の説明】
【００２３】
２        外管体
２０      開口
２１      通路
２２      管状壁
２２０ａ  第１サイド
２２０ｂ  第２サイド
２２１    ドラッグ投入端
２２２    ドラッグ放出端
２２３    鍔部
２２４    突起部
２３      可撓性リブ
２３１ａ  第１、第２のリブ
２３１ｂ  第３、第４のリブ
３        延伸プランジャ
３０      挿入部
３１      前押し端
３２      後押し端
３３、３４      ウィングプレート
３３０、３４０  フリーエンド
３３１、３４１  凹部
３３２    切り込み
３３３    可撓性フィンガー
４        座薬
【図１】
2007215732.tif 000003
【図２】
2007215732.tif 000004
【図３】
2007215732.tif 000005
【図４】
2007215732.tif 000006
【図５】
2007215732.tif 000007
【図６】
2007215732.tif 000008
【図７】
2007215732.tif 000009
【図８】
2007215732.tif 000010
【図９】
2007215732.tif 000011
【図１０】
2007215732.tif 000012